(57)【要約】  【課題】  起動されたソフトウェアによって今どのような機能が利用されているのかを利用者に容易に認識させることができる携帯情報処理装置を提供する。  【解決手段】  ソフトウェアを実行するソフトウェア実行部１０７と、ソフトウェアが実行されたとき、特定のファイルにデータを書き込む機能と特定のファイルからデータを読み取る機能とを含む複数の機能をソフトウェアに提供する機能提供部１０２と、機能提供部１０２によって提供される複数の機能の内の何れかがソフトウェアによって利用されているか否かを検知する機能利用検知部１０３と、ソフトウェアによって情報の表示及び消去が不可能な第２の領域１０６ｂを有する表示部１０６と、複数の機能の内の何れかがソフトウェアによって利用されていることを示すインジケータを表示部１０６の第２の領域１０６ｂに表示するインジケータ表示制御部１０５とを備える。  【選択図】  図１
2006277041.tif 000002
【特許請求の範囲】
【請求項１】
複数のソフトウェアを選択的に起動し、前記起動したソフトウェアを実行するソフトウェア実行部と、
前記ソフトウェアが実行されたとき、特定のファイルにデータを書き込む機能と前記特定のファイルからデータを読み取る機能とを含む複数の機能を前記ソフトウェアに提供する機能提供部と、
前記機能提供部によって提供される複数の機能の内の何れかが前記ソフトウェアによって利用されているか否かを検知する機能利用検知部と、
前記ソフトウェアによって情報の表示及び消去が可能な第１の領域と前記ソフトウェアによって情報の表示及び消去が不可能な第２の領域とを有する表示部と、
前記複数の機能の内の何れかが前記ソフトウェアによって利用されていることを示すインジケータを前記表示部の第２の領域に表示するインジケータ表示制御部とを備えることを特徴とする携帯情報処理装置。
【請求項２】
前記機能利用検知部は、前記ソフトウェアが前記複数の機能の内の何れかを利用していることを検出したとき、前記ソフトウェアが利用する機能のソフトウェアインターフェースの種別、プロセス名、及び引数を含む複数の情報を収集し、前記収集した複数の情報を前記インジケータ表示制御部に通知することを特徴とする請求項１に記載の携帯情報処理装置。
【請求項３】
前記インジケータ表示制御部は、前記機能利用検知部が通知する複数の情報に基づいて前記第２の領域にインジケータの色、形、大きさを変化させることを特徴とする請求項２に記載の携帯情報処理装置。
【請求項４】
前記インジケータ表示制御部は、前記機能利用検知部が通知する複数の情報に基づいて前記第２の領域に表示したインジケータを点滅させることを特徴とする請求項２に記載の携帯情報処理装置。
【請求項５】
前記インジケータ表示制御部は、前記実行されているソフトウェアを示すアイコンを前記第２の領域に表示することを特徴とする請求項２に記載の携帯情報処理装置。
【請求項６】
前記インジケータ表示制御部は、前記利用検知部が通知した複数の情報に基づいて前記特定のファイルにデータを書き込む機能が利用されているか否かを判定し、
前記特定のファイルにデータを書き込む機能が利用されていると判定したとき、前記第２の領域に表示しているアイコンの近傍に前記特定のファイルにデータを書き込む機能が利用されていることを示す矢印を示すインジケータとして表示することを特徴とする請求項５に記載の携帯情報処理装置。
【請求項７】
前記インジケータ表示制御部は、前記利用検知部が通知した複数の情報に基づいて前記特定のファイルからデータを読み出す機能がソフトウェアによって利用されているか否かを判定し、
前記特定のファイルにデータを読み出す機能が利用されていると判定したとき、前記第２の領域に表示しているアイコンの近傍に前記特定のファイルにデータを読み出す機能が利用されていることを示す矢印を示すインジケータとして表示することを特徴とする請求項５に記載の携帯情報処理装置。
【請求項８】
前記インジケータ表示制御部は、前記利用検知部が通知した複数の情報に基づいてテキスト情報を生成し、前記生成したテキスト情報を前記第２の領域に表示することを特徴とする請求項１から請求項７までの何れかに記載の携帯情報処理装置。
【請求項９】
前記インジケータ表示制御部は、前記利用検知部が通知した複数の情報に基づいて前記ソフトウェアがアクティブ状態にあるのか否かを判定し、
前記ソフトウェアがアクティブ状態にあると判定したとき、前記インジケータを表示し、
前記ソフトウェアがアクティブ状態にないと判定したとき、前記インジケータを消去することを特徴とする請求項１から請求項８までの何れかに記載の情報処理装置。
【発明の詳細な説明】
【技術分野】
【０００１】
本発明は、携帯電話や携帯情報端末などの携帯情報処理装置に関し、例えば、起動されたソフトウェアが利用している機能をリアルタイムで表示可能な携帯情報処理装置に関するものである。
【背景技術】
【０００２】
近年、携帯電話をはじめとする携帯情報処理装置は益々高機能化しており、Ｓｙｍｂｉａｎ社の「Ｓｙｍｂｉａｎ  ＯＳ」（非特許文献１参照）や、ＱＵＡＬＣＯＭＭ社の「ＢＲＥＷ」（非特許文献２参照）など、ネイティブコードで書かれたソフトウェアプログラムをインストールし、インストールしたソフトウェアプログラムを実行できるソフトウェア実行部を搭載した携帯情報処理装置が増えている。このソフトウェア実行部は、ネイティブコードであるため、「ｉアプリ」（非特許文献３参照）のような中間言語で記述されたソフトウェアよりも高速に動作する反面、処理の自由度が高いため、自由に利用者データにアクセスしたり、搭載されているデバイスにアクセスしたりすることが可能である。
【０００３】
「ｉアプリ」や「ＢＲＥＷ」では、あらかじめ利用するサービスをメタ情報ファイルで表明し、表明されていないサービスは携帯情報処理装置が利用させないようにすることで一定の安全性を確保している。
【０００４】
また、特許文献１には、アクセス許可のないブロックへのアクセスを禁止することで、不正にアクセスを行わせないようにした装置が開示されている。
【０００５】
【非特許文献１】Ｓｙｍｂｉａｎ  Ｌｔｄ．、「ＵＩＱ  ２．１  ＳＤＫ  ｆｏｒ  Ｓｙｍｂｉａｎ  ＯＳ  ｖ７．０」〔ｏｎｌｉｎｅ〕、２００３年１１月１５日、〔平成１６年１２月８日検索〕、インターネット＜ＵＲＬ：ｈｔｔｐ：／／ｆｔｐ．ｓｙｍｂｉａｎ．ｃｏｍ＞
【非特許文献２】クアルコムジャパン株式会社、「Ｓｔａｒｔｉｎｇ  ｗｉｔｈ  ＢＲＥＷ」〔ｏｎｌｉｎｅ〕、平成１６年４月２７日、〔平成１６年１２月８日検索〕、インターネット＜ＵＲＬ：ｈｔｔｐ：／／ｂｒｅｗ．ｑｕａｌｃｏｍｍ．ｃｏｍ／ｂｒｅｗ＿ｂｎｒｙ／ｐｄｆ／ｄｅｖｅｌｏｐｅｒ／ｒｅｓｏｕｒｃｅｓ／ｇｓ／ｓｔａｒｔｉｎｇ＿ｂｒｅｗ．ｐｄｆ＞
【非特許文献３】株式会社ＮＴＴドコモ、「ｉアプリコンテンツ開発者ガイドｆｏｒＤｏｊａ−４．０詳細編」〔ｏｎｌｉｎｅ〕、平成１６年１１月１７日、〔平成１６年１２月８日検索〕、インターネット＜ＵＲＬ：ｈｔｔｐ：／／ｗｗｗ．ｎｔｔｄｏｃｏｍｏ．ｃｏ．ｊｐ／ｐ＿ｓ／ｉｍｏｄｅ／ｊａｖａ／ｐｄｆ／ｊｇｕｉｄｅｆｏｒＤｏＪａ４＿０４１１１７．ｐｄｆ＞
【特許文献１】特開２００２−１３２５８３号公報
【発明の開示】
【発明が解決しようとする課題】
【０００６】
しかしながら、従来の携帯情報処理装置は、ソフトウェアが実行されているとき、何の機能を利用しているのか（アドレス帳などの利用者データを読み取ったり、特定のファイルに書き込んだりする機能など）をリアルタイムに表示していないという問題があった。  また、「ｉアプリ」や「ＢＲＥＷ」では、あらかじめ利用するサービスをメタ情報ファイルで表明し、表明されていないサービスは携帯情報処理装置が利用させないようにすることで一定の安全性を確保しているが、たとえば、利用者の指示でアドレス帳やブックマークを編集することが分かっているソフトウェアが、利用者の意図しないタイミングで自動的にアドレス帳やブックマークを編集してしまってもソフトウェアが今何を実行したのか利用者には全く判らないという問題があった。  
【０００７】
また、アクセス許可、不許可を設定したとしても、利用者にはソフトウェアが今を実行しているのか全く判らないという問題があった。  
【０００８】
本発明は、従来の問題を解決するためになされたもので、起動されたソフトウェアによって今どのような機能が利用されているのかを利用者に容易に認識させることができる携帯情報処理装置を提供することを目的とする。
【課題を解決するための手段】
【０００９】
本発明の携帯情報処理装置は、複数のソフトウェアを選択的に起動し、前記起動したソフトウェアを実行するソフトウェア実行部と、前記ソフトウェアが実行されたとき、特定のファイルにデータを書き込む機能と前記特定のファイルからデータを読み取る機能とを含む複数の機能を前記ソフトウェアに提供する機能提供部と、前記機能提供部によって提供される複数の機能の内の何れかが前記ソフトウェアによって利用されているか否かを検知する機能利用検知部と、前記ソフトウェアによって情報の表示及び消去が可能な第１の領域と前記ソフトウェアによって情報の表示及び消去が不可能な第２の領域とを有する表示部と、前記複数の機能の内の何れかが前記ソフトウェアによって利用されていることを示すインジケータを前記表示部の第２の領域に表示するインジケータ表示制御部とを備える構成を有している。
【００１０】
この構成により、今どのような機能（アドレス帳からの利用者データの読み取りなど）がソフトウェアによって利用されているのか利用者がリアルタイムで認識できる。
【００１１】
本発明の携帯情報処理装置は、前記機能利用検知部は、前記ソフトウェアが前記複数の機能の内の何れかを利用していることを検出したとき、前記ソフトウェアが利用する機能のソフトウェアインターフェースの種別、プロセス名、及び引数を含む複数の情報を収集し、前記収集した複数の情報を前記インジケータ表示制御部に通知する構成を有している。
【００１２】
この構成により、機能検知部が通知した複数の情報に基づいてソフトウェアが書き込み機能を利用しているのか、それとも読み込み機能を利用しているのかなどの情報をより詳細に利用者に認識させることができる。
【００１３】
本発明の携帯情報処理装置は、前記インジケータ表示制御部は、前記機能利用検知部が通知する複数の情報に基づいて前記第２の領域にインジケータの色、形、大きさを変化させる構成を有している。
【００１４】
この構成により、特定の機能が利用されていることを利用者にインジケータの色、形、大きさの変化によって容易に認識させることができる。
【００１５】
本発明の携帯情報処理装置は、前記インジケータ表示制御部は、前記機能利用検知部が通知する複数の情報に基づいて前記第２の領域に表示したインジケータを点滅させる構成を有している。
【００１６】
この構成により、特定の機能が利用されていることを利用者にインジケータの点滅によって容易に認識させることができる。
【００１７】
本発明の携帯情報処理装置は、前記インジケータ表示制御部は、前記実行されているソフトウェアを示すアイコンを前記第２の領域に表示する構成を有している。
【００１８】
この構成により、どのソフトウェアが実行されているのかを利用者に認識させることができる。
【００１９】
本発明の携帯情報処理装置は、前記インジケータ表示制御部は、前記利用検知部が通知した複数の情報に基づいて前記特定のファイルにデータを書き込む機能が利用されているか否かを判定し、前記特定のファイルにデータを書き込む機能が利用されていると判定したとき、前記第２の領域に表示しているアイコンの近傍に前記特定のファイルにデータを書き込む機能が利用されていることを示す矢印を示すインジケータとして表示する構成を有している。
【００２０】
この構成により、アイコンの近傍にデータを書き込む機能が利用されていることを示す矢印によって、データを書き込む状態にあることを利用者に容易に認識させることができる。
【００２１】
本発明の携帯情報処理装置は、前記インジケータ表示制御部は、前記利用検知部が通知した複数の情報に基づいて前記特定のファイルからデータを読み出す機能がソフトウェアによって利用されているか否かを判定し、前記特定のファイルにデータを読み出す機能が利用されていると判定したとき、前記第２の領域に表示しているアイコンの近傍に前記特定のファイルにデータを読み出す機能が利用されていることを示す矢印を示すインジケータとして表示する構成を有している。
【００２２】
この構成により、アイコンの近傍にデータを読み取る機能が利用されていることを示す矢印によって、データを読み取る状態にあることを利用者に容易に認識させることができる。
【００２３】
本発明の携帯情報処理装置は、前記インジケータ表示制御部は、前記利用検知部が通知した複数の情報に基づいてテキスト情報を生成し、前記生成したテキスト情報を前記第２の領域に表示する構成を有している。
【００２４】
この構成により、表示されたテキスト情報によって利用されている機能を利用者に容易に認識させることができる。
【００２５】
本発明の携帯情報処理装置は、前記インジケータ表示制御部は、前記利用検知部が通知した複数の情報に基づいて前記ソフトウェアがアクティブ状態にあるのか否かを判定し、前記ソフトウェアがアクティブ状態にあると判定したとき、前記インジケータを表示し、前記ソフトウェアがアクティブ状態にないと判定したとき、前記インジケータを消去する構成を有している。
【００２６】
この構成により、複数のソフトウェアの状態を利用者に容易に認識させることができる。
【発明の効果】
【００２７】
本発明の携帯情報処理装置は、起動されたソフトウェアによって今どのような機能が利用されているのかを利用者に容易に認識させるという効果を有する携帯情報処理装置を提供することができる。
【発明を実施するための最良の形態】
【００２８】
図１乃至６を参照し、本発明の一実施の形態の携帯情報処理装置の構成について説明する。
【００２９】
携帯情報処理装置１０１は、例えば、メールクライアントやゲームといったユーザが所望する機能を有する複数のソフトウェアを選択的に起動し、起動したソフトウェアを実行するソフトウェア実行部１０７と、ソフトウェアが実行されたとき、特定のファイルにデータを書き込む機能と特定のファイルからデータを読み取る機能とを含む複数の機能をソフトウェアに提供する機能提供部１０２と、機能提供部１０２によって提供される複数の機能の内の何れかがソフトウェアによって利用されているか否かを検知する機能利用検知部１０３と、ソフトウェアによって情報の表示及び消去が可能な第１の領域表示部１０６ａとソフトウェアによって情報の表示及び消去が不可能な第２の領域表示部１０６ｂとを有する表示部１０６と、複数の機能の内の何れかがソフトウェアによって利用されていることを示すインジケータを表示部１０６の第２の領域表示部１０６ｂに表示するインジケータ表示制御部１０５と、ソフトウェアの実行を指示するソフトウェアランチャ部１０８とを備えている。
【００３０】
ここで、機能提供部１０２は、アドレス帳、ブックマーク、メールデータ、各種設定情報などを含む利用者データにアクセスする機能や、カメラ機能、電子マネー機能などを含む複数のデバイスにアクセスする機能が提供される。
【００３１】
また、機能利用検知部１０３は、「Ｏｐｅｎ」、「Ｃｌｏｓｅ」、「Ｒｅａｄ」、「Ｗｒｉｔｅ」、「Ｉ／Ｏ  Ｃｏｎｔｒｏｌ」、「Ｌｉｎｋ」、「Ｕｎｌｉｎｋ」などに相当するソフトウェアインターフェース（ＡＰＩ）がソフトウェアによって呼び出されたとき、それが予め設定された特定の機能であれば、必要な情報を収集するようになっている。機能利用検知部１０３は、通常、ソフトウェア実行部１０７に組み込まれているが、あらゆるプロセスからの利用を監視するために、オペレーティングシステムカーネルに組み込まれていてもよい。
【００３２】
機能利用検知部１０３は、ソフトウェアが複数の機能の内の何れかを利用していることを検出したとき、ソフトウェアが利用する機能のソフトウェアインターフェースの種別、プロセス名、及び引数を含む複数の情報を収集し、収集した複数の情報をインジケータ表示制御部１０５に通知するようになっている。
【００３３】
インジケータ表示制御部１０５は、機能利用検知部１０３が通知する複数の情報に基づいて第２の領域表示部１０６ｂに表示したインジケータを点滅させるようになっている。また、本実施の形態では、インジケータを点滅させるが、インジケータ表示制御部１０５は、機能利用検知部１０３が通知する複数の情報に基づいて第２の領域表示部１０６ｂにインジケータの色、形、大きさを変化させるようにしてもよい。また、インジケータ表示制御部１０５は、実行されているソフトウェアを示すアイコンを第２の領域表示部１０６ｂに表示するようになっている。
【００３４】
また、本実施の形態の携帯情報処理装置１０１では、例えば、図６に示すように、ディスプレイ上部に帯状に第２の領域表示部１０６ｂを設けている。一方、ソフトウェア実行部１０７は、第２の領域表示部１０６ｂをソフトウェアから隠蔽し、ソフトウェアから第２の領域に表示されているインジケータが直接に書き換えできないようにしている。
【００３５】
インジケータ表示制御部１０５は、利用検知部が通知した複数の情報に基づいて特定のファイルにデータを書き込む機能が利用されているか否かを判定し、特定のファイルにデータを書き込む機能が利用されていると判定したとき、第２の領域表示部１０６ｂに表示しているアイコンの近傍に特定のファイルにデータを書き込む機能が利用されていることを示す矢印を示すインジケータとして表示するようになっている。
【００３６】
また、インジケータ表示制御部１０５は、利用検知部が通知した複数の情報に基づいて特定のファイルからデータを読み出す機能がソフトウェアによって利用されているか否かを判定し、特定のファイルにデータを読み出す機能が利用されていると判定したとき、第２の領域表示部１０６ｂに表示しているアイコンの近傍に特定のファイルにデータを読み出す機能が利用されていることを示す矢印を示すインジケータとして表示するようになっている。
【００３７】
インジケータ表示制御部１０５は、利用検知部が通知した複数の情報に基づいてテキスト情報を生成し、生成したテキスト情報を第２の領域表示部１０６ｂに表示するようになっている。
【００３８】
インジケータ表示制御部１０５は、利用検知部が通知した複数の情報に基づいてソフトウェアがアクティブ状態にあるのか否かを判定し、ソフトウェアがアクティブ状態にあると判定したとき、インジケータを表示し、ソフトウェアがアクティブ状態にないと判定したとき、インジケータを消去するようになっている。
【００３９】
次に、図２のシーケンス図を参照し、本発明の携帯情報処理装置１０１の動作について説明する。
【００４０】
複数のソフトウェアの内の何れかが利用者によって選択されたとき、ソフトウェアランチャ部１０８は該当ソフトウェアの起動するようソフトウェア実行部１０７に指示を出す。指示を受けたソフトウェア実行部１０７は、該当ソフトウェアの実行を開始する。ソフトウェアが実行され、ソフトウェアが機能提供部１０２にアクセスしようとして必要なＡＰＩを呼び出すと、機能利用検知部１０３がソフトウェア実行部１０７によって呼び出され、機能提供部１０２の提供する予め指定された機能（例えばアドレス帳のデータを読み出す）であるのか否かを判定する。予め指定された機能であると判定されたとき、情報収集を開始し、インジケータ表示制御部１０５に機能提供部１０２がアクセスされたことを示すシグナルを通知する。シグナルを通知されたインジケータ表示制御部１０５は、表示部の第２の領域表示部１０６ｂにインジケータを表示するよう指示を出す。
【００４１】
このとき、機能利用検知部１０３は、ＡＰＩ種別、プロセス名、引数等の情報を同時に収集してもよい。ＡＰＩ種別、プロセス名、引数の一例を図４に示す。また、アクセスされたことを示すシグナルと一緒にこれらの情報がインジケータ表示制御部１０５に通知されるので、インジケータ表示制御部１０５は、表示部の第２の領域表示部１０６ｂに表示しているインジケータの色、形、大きさ、点滅速度等を機能利用検知部１０３から通知された情報に基づいてリアルタイムで変化させることができる。
【００４２】
例えば、ＡＰＩ種別や引数の情報から、読み出し、書き込みのいずれかであることを判別し、インジケータに矢印の方向を変えてオーバーレイ表示させることで、容易に書き込み状態にあるのか読み出し状態にあるのかを利用者が容易に認識することができる。
【００４３】
また、複数のソフトウェアが同時に起動されていても何れのソフトウェアがインジケータを表示する原因になったのか判別できるように、プロセス名の情報から、プロセス名のテキストやプロセスに対応するアイコンを同時に表示させたり、原因となったソフトウェアがアクティブなときのみインジケータを表示させたりしてもよい。
【００４４】
また、引数の情報から、利用している機能の種類を名前やアイコンで表示すると、利用者が受け取れる情報量が増えるので、利用者に容易に認識させることができる。
【００４５】
さらに、図５に示すように、実行中のソフトウェアが行ったアクションとインジケータの表示を対応させることにより、リアルタイムでどの機能が利用されているのかを利用者に容易に認識させることができる。
【００４６】
また、インジケータ表示制御部１０５は、ソフトウェア停止後、もしくはソフトウェア実行中に、ソフトウェアが利用した機能の利用履歴を利用者が確認できるよう、同時にログファイルに利用履歴と時間情報を出力してもよい。
【００４７】
次に、多機能携帯電話にインターネット経由でダウンロードしたフォトレタッチソフトをインストールし、インストールしたフォトレタッチソフトを実行した場合のインジケータの表示例について説明する。
【００４８】
図６は、フォトレタッチソフトが実行されたときの携帯電話の画面イメージを示している。
【００４９】
図６に示すように、左上隅のアイコンとオーバーレイされた矢印でフォトレタッチソフトがカメラデバイスから写真画像を読み込んでいる様子を、左上隅から２番目のアイコンとオーバーレイされた矢印で利用者データ領域に保存している様子をそれぞれ示している。例えば、写真画像の読み込みと保存が終わっているにもかかわらず、カメラデバイスアイコンが表示されっぱなしである場合、ソフトウェアのバグの存在や、ウィルスの感染による意図しない挙動や、ソフトウェアの意図的な不正動作などの異常な状態にあることを容易に認識することができる。また、利用者は、ソフトウェアを直ちに終了させ、製造元に連絡することができる。また、このソフトウェアを利用しないよう対策することができる。
【００５０】
以上説明したように、本発明の携帯情報処理装置は、ソフトウェアが今どのような携帯情報処理装置の機能（アドレス帳などの利用者データアクセスや、カメラデバイスなどを利用するための機能）を利用しているのかを利用者にリアルタイムで認識させることができる。
【００５１】
たとえば、利用者の意図しないタイミングで自動的に特定の機能を利用しようとした場合、ソフトウェアが特定の機能を利用したことを利用者に認識させることができる。
【００５２】
また、ソフトウェアが長時間に渡って特定の機能を使用していることを利用者が認識でき、必要であればソフトウェアを終了することで、バッテリーの持ち時間を長引かせることができる。
【００５３】
また、特定のソフトウェアが長時間に渡って特定の機能を占有し、その他のソフトウェアが正常に動作できないといった場合に、どのソフトウェアが占有しているのか簡単に知ることができ、該当ソフトウェアを終了させるといった対策をとることができる。
【００５４】
本発明の携帯情報処理装置は、ソフトウェアによるサービスへのアクセスが、書き込みであるのか、読み込みであるのか等、より多くの情報を利用者に伝えることができる。
【産業上の利用可能性】
【００５５】
本発明の携帯情報処理装置は、起動されたソフトウェアによって今どのような機能が利用されているのかを利用者に容易に認識させるという効果を有し、ソフトウェア実行部を備える情報家電や多機能携帯端末にとって有用である。
【図面の簡単な説明】
【００５６】
【図１】本発明の一実施の形態の携帯情報処理装置の概略構成を示すブロック図
【図２】本発明の一実施の携帯の携帯情報処理装置の動作を示すシーケンス図
【図３】本発明の一実施の携帯の携帯情報処理装置において、インジケータが第２の領域に表示された状態を模式的に示した図
【図４】本発明の一実施の形態の携帯情報処理装置の機能利用検知部によって取得される情報の一例を示す図
【図５】本発明の一実施の形態の携帯情報処理装置のソフトウェアが起こすアクションと、このアクションに応答してインジケータ表示制御部によって表示されるインジケータの表示例を示す図
【図６】本発明一実施の形態の携帯情報処理装置において、ソフトウェアとしてフォトレタッチソフトが実行されたときのインジケータの表示例を示す図
【符号の説明】
【００５７】
１０１  携帯情報処理装置
１０２  機能提供部
１０３  機能利用検知部
１０５  インジケータ表示制御部
１０６ａ  第１の領域表示部
１０６ｂ  第２の領域表示部
１０７  ソフトウェア実行部
１０８  ソフトウェアランチャ部
【図１】
2006277041.tif 000003
【図２】
2006277041.tif 000004
【図３】
2006277041.tif 000005
【図４】
2006277041.tif 000006
【図５】
2006277041.tif 000007
【図６】
2006277041.tif 000008